(57)【特許請求の範囲】
【請求項１】
電磁安全弁（Ｍｇ）に逆方向の励磁電流を流すことにより電磁安全弁を閉止して燃焼を強制的に遮断する燃焼制御回路において、充電指令信号によりオンし、遮断指令信号によりオフする第一スイッチング素子（Ｑ１）と、充電指令信号によりオフし、遮断指令信号によりオンする第二スイッチング素子（Ｑ２）とを備え、前記第一スイッチング素子（Ｑ１）を介して電池（Ｅ）にコンデンサ（Ｃ１）を接続する回路と、前記第二スイッチング素子（Ｑ２）を介して前記コンデンサ（Ｃ１）を電磁安全弁（Ｍｇ）及びトランジスタ（Ｑ３）に接続する回路を設け、かつ、放電初期電圧を倍増するコンデンサ（Ｃ４）を前記電磁安全弁（Ｍｇ）とトランジスタ（Ｑ３）との間に挿入接続すると共に、該コンデンサ（Ｃ４）を第一スイッチング素子（Ｑ１）に接続し、充電指令信号により第一スイッチング素子（Ｑ１）がオンしたときコンデンサ（Ｃ１）とコンデンサ（Ｃ４）がそれぞれ電池（Ｅ）に接続され充電回路を構成し、遮断指令信号により第二スイッチング素子（Ｑ２）がオンしたとき、前記コンデンサ（Ｃ１）（Ｃ４）の充電電圧によりトランジスタ（Ｑ３）をオンしコンデンサ（Ｃ１）とコンデンサ（Ｃ４）が直列に接続されて電磁安全弁（Ｍｇ）への放電回路を構成することを特徴とする燃焼制御回路。
【請求項２】
電磁安全弁（Ｍｇ）に逆方向の励磁電流を流すことにより電磁安全弁を閉止して燃焼を強制的に遮断する燃焼制御回路において、充電指令信号によりオンし、遮断指令信号によりオフする第一スイッチング素子（Ｑ１）と、充電指令信号によりオフし、遮断指令信号によりオンする第二スイッチング素子（Ｑ２）とを備え、前記第一スイッチング素子（Ｑ１）を介して電池（Ｅ）にコンデンサ（Ｃ１）を接続する回路と、前記第二スイッチング素子（Ｑ２）を介して前記コンデンサ（Ｃ１）を電磁安全弁（Ｍｇ）及びトランジスタ（Ｑ３）に接続する回路を設け、かつ、放電初期電圧を倍加するための、コンデンサ（Ｃ２）と第二スイッチング素子（Ｑ２）がオンしたときコンデンサの充電電圧が印加されオンするトランジスタ（Ｑ４）とからなる倍加回路（Ａ１）を１セットとして、この倍加回路を複数セット（Ａ１）（Ａ２）並列にして第一スイッチング素子（Ｑ１）に各々接続すると共に前記コンデンサ（Ｃ１）に並列に接続し、充電指令信号により第一スイッチング素子（Ｑ１）がオンしたとき、各コンデンサの充電回路を構成し、遮断指令信号により第二スイッチング素子（Ｑ２）がオンしたとき、トランジスタ（Ｑ３）（Ｑ４）（Ｑ５）がオンし上記各コンデンサが直列に接続されて電磁安全弁（Ｍｇ）への放電回路を構成することを特徴とする燃焼制御回路。
【発明の詳細な説明】
【０００１】
【産業上の利用分野】
この発明は、熱電対と電磁安全弁とからなる燃焼安全装置において、電磁安全弁に逆電流を流し、燃焼を強制的に遮断する燃焼制御回路に関するものである。
【０００２】
【従来の技術】
従来のこの種の燃焼制御回路としては図５に示すように、電磁安全弁Ｍｇ′に互に逆方向の励磁電流を流すトランジスタＱ１  ′とトランジスタＱ２  ′を備え、両トランジスタＱ１  ′、Ｑ２  ′のコレクタ同士を接続して電磁安全弁Ｍｇ′に接続し、かつ、両トランジスタのエミッタを電池Ｅ′に接続し、スイッチＳＷ′の切替えによりトランジスタＱ１  ′、Ｑ２  ′にベース電流を交互に流し、所定時間オンする構成とし、点火スイッチＳＷ′をオンにすると、コモン端子C とノーマルオープン端子NOが接続され、ボディアースと電池Ｅ′のマイナスが接続され、これによりトランジスタＱ１  ′のベース電流がコンデンサＣ１  ′に流れ、該コンデンサＣ１  ′がチャージアップする迄トランジスタＱ１  ′はオンし、電磁安全弁Ｍｇ′には図示ＳＷＯＮの方向に電流が流れ電磁安全弁Ｍｇ′を開弁状態に保持する。そして、燃焼を遮断する場合に点火スイッチＳＷ′をオフにすると、コモン端子C がノーマルクローズ端子NCに接続され、これによりボディアースと電池Ｅ′のプラスが接続され、前記トランジスタＱ１  ′はコンデンサＣ１  ′のマイナス側が電池Ｅ′のプラスに接続されてベース電流が流れなくなりトランジスタＱ１′はオフし、トランジスタＱ２  ′のベース電流がコンデンサＣ２  ′に流れ、該コンデンサＣ２  ′がチャージアップする迄トランジスタＱ２  ′はオンし、電磁安全弁Ｍｇ′には電池Ｅ′から図示ＳＷＯＦＦ  の方向に逆電流が流れ電磁安全弁Ｍｇ′を閉止し燃焼を強制的に遮断する燃焼制御回路が提案されている。
【０００３】
【発明が解決しようとする課題】
従来の技術で述べたものは、電磁安全弁に流す逆電流はトランジスタにより電池から直接流し込む方式であるため、電池から電磁安全弁に流れる逆電流を調節することが難かしく、また、電池が消耗した場合には電磁安全弁に印加される電圧を高くすることができないため、電磁安全弁の閉止動作を確実にすることができないと言う問題点があった。
さらに、ボディアースが常に電池のマイナス側に接続される形になっていないので、電磁安全弁に印加する電圧を２倍又はｎ倍にしようとしても、その回路構成に展開することが非常に困難であった。
【０００４】
この発明は従来技術の有するこのような問題点に鑑み、充電指令信号によりコンデンサを充電し、遮断指令信号により該コンデンサに充電されている電荷を電磁安全弁に逆電流として流し、電磁安全弁を閉止し燃焼を強制的に遮断でき、かつ、電磁安全弁に印可する電圧を大きくできる燃焼制御回路を提供することを目的とし、複数のコンデンサを用い放電初期電圧を約２倍或いは約ｎ倍として電磁安全弁に印加できるようにし、電池電圧が低下した場合においても電磁安全弁を確実に閉止し燃焼を強制的に遮断できる燃焼制御回路を提供することを目的としている。
【０００５】
【課題を解決するための手段】
上記目的を達成するために、この発明の請求項１記載の燃焼制御回路は、電磁安全弁Ｍｇに逆方向の励磁電流を流すことにより電磁安全弁を閉止して燃焼を強制的に遮断する燃焼制御回路において、充電指令信号によりオンし、遮断指令信号によりオフする第一スイッチング素子Ｑ１と、充電指令信号によりオフし、遮断指令信号によりオンする第二スイッチング素子Ｑ２とを備え、前記第一スイッチング素子Ｑ１を介して電池ＥにコンデンサＣ１を接続する回路と、前記第二スイッチング素子Ｑ２を介して前記コンデンサＣ１を電磁安全弁Ｍｇ及びトランジスタＱ３に接続する回路を設け、かつ、放電初期電圧を倍増するコンデンサＣ４を前記電磁安全弁ＭｇとトランジスタＱ３との間に挿入接続すると共に、該コンデンサＣ４を第一スイッチング素子Ｑ１に接続し、充電指令信号により第一スイッチング素子Ｑ１がオンしたときコンデンサＣ１とコンデンサＣ４がそれぞれ電池Ｅに接続され充電回路を構成し、遮断指令信号により第二スイッチング素子Ｑ２がオンしたとき、前記コンデンサＣ１、Ｃ４の充電電圧によりトランジスタＱ３をオンしコンデンサＣ１とコンデンサＣ４が直列に接続されて電磁安全弁Ｍｇへの放電回路を構成するようにするものである。
【０００６】
また、この発明の請求項２記載の燃焼制御回路は、電磁安全弁Ｍｇに逆方向の励磁電流を流すことにより電磁安全弁を閉止して燃焼を強制的に遮断する燃焼制御回路において、充電指令信号によりオンし、遮断指令信号によりオフする第一スイッチング素子Ｑ１と、充電指令信号によりオフし、遮断指令信号によりオンする第二スイッチング素子Ｑ２とを備え、前記第一スイッチング素子Ｑ１を介して電池ＥにコンデンサＣ１を接続する回路と、前記第二スイッチング素子Ｑ２を介して前記コンデンサＣ１を電磁安全弁Ｍｇ及びトランジスタＱ３に接続する回路を設け、かつ、放電初期電圧を倍加するための、コンデンサＣ２と第二スイッチング素子Ｑ２がオンしたときコンデンサの充電電圧が印加されオンするトランジスタＱ４とからなる倍加回路Ａ１を１セットとして、この倍加回路を複数セットＡ１、Ａ２並列にして第一スイッチング素子Ｑ１に各々接続すると共に前記コンデンサＣ１に並列に接続し、充電指令信号により第一スイッチング素子Ｑ１がオンしたとき、各コンデンサが電池Ｅに接続される充電回路を構成し、遮断指令信号により第二スイッチング素子Ｑ２がオンしたとき、トランジスタＱ３、Ｑ４、Ｑ５がオンし上記各コンデンサが直列に接続されて電磁安全弁Ｍｇへの放電回路を構成するようにしたものである。
【０００７】
【作用】
この発明の請求項１記載の燃焼制御回路は、充電指令信号により第一スイッチング素子Ｑ１  がオンすると、コンデンサＣ１  とコンデンサＣ４  が電池Ｅに接続されそれぞれ充電される。そしてタイマー等の働きで燃焼中に燃焼をストップする遮断指令信号により第一スイッチング素子Ｑ１がオフし、第二スイッチング素子Ｑ２  がオンする。これにより、コンデンサＣ１、Ｃ４  の充電電圧がトランジスタＱ３に印加されオンし、コンデンサＣ１  →第二スイッチング素子Ｑ２  →電磁安全弁Ｍｇ→コンデンサＣ４  →トランジスタＱ３  の放電回路が構成され、コンデンサＣ１  とコンデンサＣ４  に充電されている電荷が電磁安全弁Ｍｇに流れ、電磁安全弁Ｍｇを閉止し燃焼をストップする。
この場合、コンデンサＣ１  とコンデンサＣ４  は放電回路において直列に接続されるので、約２倍の放電初期電圧が電磁安全弁Ｍｇに印加される。
【０００８】
また、この発明の請求項２記載の燃焼制御回路は、コンデンサＣ２  とトランジスタＱ４  からなる倍加回路Ａ１  を１セットとして、この倍加回路を並列に複数セットＡ１  、Ａ２  を挿入接続したので、第一スイッチング素子Ｑ１  がオンすると各コンデンサＣ１  、Ｃ２  、Ｃ３  、Ｃ４  が電池Ｅに接続されそれぞれ充電され、第二スイッチング素子Ｑ２  がオンするとコンデンサＣ１  →第二スイッチング素子Ｑ２  →電磁安全弁Ｍｇ（→コンデンサＣ４）→トランジスタＱ３  →コンデンサＣ３  →トランジスタＱ５  →コンデンサＣ２  →トランジスタＱ４  の放電回路が構成され、電磁安全弁ＭｇにはコンデンサＣ１、Ｃ２  、Ｃ３  、Ｃ４  に充電されている電荷が流れ、約３倍（４倍）の放電初期電圧を電磁安全弁Ｍｇに印加することになる。尚、（  ）書きは電磁安全弁ＭｇとトランジスタＱ３  との間にコンデンサＣ４ が挿入接続されている場合である。
【０００９】
【実施例】
以下、この発明の実施例を図１〜図４を参照して説明する。
【００１０】
図１において、電池ＥにトランジスタＱ１  、ダイオードＤ１  、コンデンサＣ１及び抵抗Ｒ１  の直列回路を接続し、コンデンサ充電回路を構成し、充電指令信号と遮断指令信号を入力するスイッチＳＷのコモン端子C とトランジスタＱ１  のベースとを抵抗Ｒ８  を介して接続し、スイッチＳＷのコモン端子C とノーマルオープン端子NOが接続されるとトランジスタＱ１  にベース電流が流れトランジスタＱ１  がオンし、電池ＥからトランジスタＱ１  →ダイオードＤ１  →コンデンサＣ１  →抵抗Ｒ１  の経路でコンデンサＣ１  が充電されるようになっている。この時ＭＯＳＦＥＴＱ２  及びトランジスタＱ３  はオフ状態にある。
【００１１】
ＭＯＳＦＥＴＱ２  は前記コンデンサ充電回路のダイオードＤ１  とコンデンサＣ１  との間にドレインが接続され、ゲートはスイッチＳＷのコモン端子C に、又、ソースは抵抗Ｒ１  の一端及び電池のマイナス側、トランジスタＱ３  のベース抵抗Ｒ５  、電磁安全弁Ｍｇに接続されている。
トランジスタＱ３  はコレクタが電磁安全弁Ｍｇに、エミッタは前記充電回路のコンデンサＣ１  と抵抗Ｒ１  との間に接続されている。ＴＣは電磁安全弁Ｍｇに接続された熱電対で、バーナ炎により加熱されると電磁安全弁Ｍｇに励磁電流を流し、電磁安全弁Ｍｇを開弁状態に保持するものである。
【００１２】
そして、遮断側に指令信号を切替えるとスイッチＳＷのコモン端子C とノーマルクローズ端子NCが接続されＭＯＳＦＥＴＱ２  のゲートに遮断指令信号が入力されＭＯＳＦＥＴＱ２  がオンしコンデンサＣ１  の充電電圧がトランジスタＱ３  のエミッタ・ベース間及びエミッタ・コレクタ間に印加され、該トランジスタＱ３  がオンし、コンデンサＣ１  →ＭＯＳＦＥＴＱ２  →電磁安全弁Ｍｇ→トランジスタＱ３  の放電回路が構成され、コンデンサＣ１  に充電されている電荷が電磁安全弁Ｍｇに流れ電磁安全弁Ｍｇを閉止し、強制的に燃焼をストップすることができる。
【００１３】
図２は、上記実施例において、電磁安全弁ＭｇとトランジスタＱ３  のコレクタ間にもう一つコンデンサＣ４  を挿入接続し、前記充電回路のダイオードＤ１  とコンデンサＣ１  との間に抵抗Ｒ４  を介して接続したもので、充電指令信号によりトランジスタＱ１  がオンすると前記と同様の経路でコンデンサＣ１  が充電され、かつ、ダイオードＤ１  、抵抗Ｒ４  、コンデンサＣ４  、電磁安全弁Ｍｇの経路でコンデンサＣ４  が充電され、遮断側にスイッチＳＷを切替えるとトランジスタＱ１  がオフしＭＯＳＦＥＴＱ２  がオンしコンデンサＣ１  →ＭＯＳＦＥＴＱ２  →電磁安全弁Ｍｇ→コンデンサＣ４  →トランジスタＱ３  の放電回路が構成され、コンデンサＣ１  とＣ４  に充電されている電荷が電磁安全弁Ｍｇに流れる。この場合、電磁安全弁Ｍｇに印加されるコンデンサの放電初期電圧は約２倍になる。
【００１４】
図３及び図４は、ダイオードＤ２  、コンデンサＣ２  、抵抗Ｒ２  からなる直列回路と、ダイオードＤ２  とコンデンサＣ２  との間にコレクタを接続し、抵抗Ｒ２  の一端にベース抵抗Ｒ６  を介してベースを接続したトランジスタＱ４  からなる倍加回路Ａ１  と、同じくダイオードＤ３  、コンデンサＣ３  、抵抗Ｒ３  、トランジスタＱ５  及びベース抵抗Ｒ７  からなる倍加回路Ａ２  を前記図１又は図２の実施例におけるダイオードＤ１  、コンデンサＣ１  、抵抗Ｒ１  の直列回路に並列に接続し、各トランジスタＱ４  、Ｑ５  のエミッタを前段のコンデンサと抵抗との間に接続したものである。
【００１５】
この回路によれば、スイッチＳＷを充電側にするとトランジスタＱ１  がオンし各コンデンサＣ１  、Ｃ２  、Ｃ３  （図４の場合はＣ１  、Ｃ２  、Ｃ３  、Ｃ４  ）が充電され、スイッチＳＷを遮断側にするとＭＯＳＦＥＴＱ２  がオンし、コンデンサＣ１  →ＭＯＳＦＥＴＱ２  →電磁安全弁Ｍｇ→（図４の場合はコンデンサＣ４  ）→トランジスタＱ３  →コンデンサＣ３  →トランジスタＱ５  →コンデンサＣ２  →トランジスタＱ４  の放電回路が構成され、コンデンサＣ１  、Ｃ２  、Ｃ３  （図４の場合はＣ１  、Ｃ２  、Ｃ３  、Ｃ４  ）が直列に接続され、電磁安全弁に印加されるコンデンサの放電初期電圧は回路Ａ１  を並列にｎ個接続すれば、約ｎ倍にすることができる。
【００１６】
【発明の効果】
本発明は、以上説明したように構成されているので、以下に記載するような効果を奏する。
【００１７】
請求項１の燃焼制御回路においては、充電指令信号により２つのコンデンサが電池に並列に接続充電され、遮断指令信号によりコンデンサの充電電圧がトランジスタをオンし２つのコンデンサを直列に接続しこれらのコンデンサに充電されている電荷を電磁安全弁へ逆電流として流すことができるので、簡単な回路構成により、電磁安全弁を閉止する際に電磁安全弁に印加するコンデンサの放電初期電圧を約２倍にすることができ、電池が消耗し電圧が低下しても確実に電磁安全弁を閉止し燃焼をストップすることができる。
【００１８】
請求項２の燃焼制御回路においては、コンデンサとトランジスタとからなる倍加回路を１セットとして、この倍加回路を並列に複数接続することにより、電磁安全弁に印加する放電初期電圧を約ｎ倍に自由に設定することができ、電池電圧が低下しても確実に電磁安全弁を閉止し燃焼を遮断することができる。
【図面の簡単な説明】
【図１】この発明に係る燃焼制御回路の回路図である。
【図２】放電初期電圧を約２倍にした燃焼制御回路の回路図である。
【図３】放電初期電圧を約ｎ倍にした燃焼制御回路の回路図である。
【図４】放電初期電圧を約ｎ倍にした異なる燃焼制御回路の回路図である。
【図５】従来の燃焼制御回路の回路図である。
【符号の説明】
Ｑ１    第一スイッチング素子
Ｑ２    第二スイッチング素子
Ｑ３  、Ｑ４  、Ｑ５    トランジスタ
Ｅ    電池
Ｃ１  、Ｃ２  、Ｃ３  、Ｃ４    コンデンサ
Ｍｇ  電磁安全弁
Ａ１  、Ａ２    倍加回路
【図１】
0003606476.tif 000002
【図２】
0003606476.tif 000003
【図３】
0003606476.tif 000004
【図４】
0003606476.tif 000005
【図５】
0003606476.tif 000006